(57)【特許請求の範囲】
【請求項１】
循環水配管内のエルボー部に設置する作業足場であって、
一端にスライド部（５）を有する本体ユニット（４）と、該本体ユニット（４）を支持するサポートジャッキユニット（１）と、該本体ユニット（４）の先端部に取付けたコラム（１８）と、該コラム（１８）の上部に設けた４本のアーム（１９）と、該コラム（１８）を支持する倒れ止め（２３）とを備え、これら各部材を折たたみ可能に一体化し、折りたたんで一体化された状態で前記エルボー部に移動して前記エルボー部で展開可能であり、
前記本体ユニット（４）は、展開時には前記スライド部（５）の先端を前記エルボー部の内壁に当接させ、他端を前記エルボー部より前の位置に立設した前記サポートジャッキユニット（１）で支持され、
前記コラム（１８）は、展開時には前記本体ユニット（４）の先端部から立設されて、前記本体ユニット（４）と前記サポートジャッキユニット（１）とで支持され、
前記アーム（１９）は、上方に９０°展開可能で、前記コラム（１８）に対してスジカイ（２０）で支持され、該アーム（１９）上に上足場板（２５）を敷設可能であり、
前記本体ユニット（４）上には、側方に伸縮可能なジャッキバー（２７）と前記サポートジャッキユニット（１）とに支持される下足場板（２６）が敷かれ、該下足場板（２６）と前記上足場板（２５）との間に上はしご（２４）が設けられ、前記サポートジャッキユニット（１）には下はしご（２８）が設けられ、
前記各部材が、非使用時にはコンパクトに折りたたみ可能であり、使用時には展開してオートロックフック（７）によりワンタッチで組立可能であることを特徴とする作業足場。
【発明の詳細な説明】
【０００１】
【発明の属する技術分野】
原子力発電所等における循環水配管内のメンテナンス作業においては、管内に足場を設置し、この足場に乗って作業を行う。このような足場は、垂直管部と水平管部の交るエルボー管部に設置される。そして、この足場を基礎とし、その上にさらに上方に向っての足場設置作業や、エルボ管部管壁のメンテナンス作業を行う。本発明は、このような作業を行うために循環水エルボー配管部に設置する作業足場に関するものである。
【０００２】
【従来の技術】
従来、エルボー管部の足場組み立ては、エルボ管部の形状に合わせ、単部品を組み合わせて作業足場を設置していた。したがって、部品点数が多くなり、それに伴い組み立て、解体のための作業時間の増大や、管内への搬入時間の増大などの問題があった。また、従来品は構造が複雑なため、熟練を要し、作業員によって組み立て時間に大きな差が生じる等の問題があった。
【０００３】
【発明が解決しようとする課題】
本発明は、上記の問題点に鑑み、組み立てに要する時間を短縮することができ、かつ組立作業に熟練を必要としない作業足場を提供することを目的とする。
【０００４】
【課題を解決するための手段】
本発明は、循環水配管内のエルボー部に設置する作業足場であって、一端にスライド部を有する本体ユニットと、該本体ユニットを支持するサポートジャッキユニットと、該本体ユニットの先端に取付けたコラムと、該コラムの上部に設けた４本のアームと、該コラムを支持する倒れ止めとを備え、これら各部材を折たたみ可能に一体化し、折りたたんで一体化された状態で前記エルボー部に移動し、該エルボー部で展開可能にした。
そして、前記本体ユニットは、展開時には該スライド部の先端をエルボー部の内壁に当接させ、他端を前記エルボー部より前の位置に立設したサポートジャッキユニットで支持され、前記コラムは、展開時には前記本体ユニットの先端部に立設され、本体ユニットとサポートジャッキユニットとで支持され、前記アームは上方に９０°展開可能で、前記コラムに対してスジカイで支持され、該アーム上に上足場板を敷設可能であり、前記本体ユニット上には、側方に伸縮可能なジャッキバーとサポートジャッキユニットとに支持される下足場板が敷かれ、該下足場板と前記上足場板との間に上はしごが設けられ、前記サポートジャッキユニットには下はしごが設けられ、前記各部材が、非使用時にはコンパクトに折りたたみ可能であり、使用時には展開してオートロックフックによりワンタッチで組立可能である。
【０００５】
【発明の実施の形態】
本発明に係る作業足場の実施形態について、図１〜図３を参照して説明する。図１（ａ）は作業足場を組立てた状態の側面図、図１（ｂ）は図１（ａ）の右側面図、図２は図１（ａ）の上面図である。
【０００６】
図１において、Ａはエルボー管部の傾斜部である。Ａ’は断面円形の垂直部、Ａ''は同じく水平部である。１はサポートジャッキユニットで、図１（ｂ）に示すように、左右２本の縦ジャッキ１ａと、これら２本の縦ジャッキ１ａの中央部にそれぞれ折りたたみ可能に取付けた横ジャッキ１ｂとで構成されている。
２本の縦ジャッキ１ａは中間位置に、左右２本の横ジャッキ１ｂは端部に、それぞれ伸縮可能なジャッキ装置を備えている。横ジャッキ１ｂの一方には、下はしご２が取り付けられている（図１（ｂ））。
縦ジャッキ１ａと横ジャッキ１ｂの端には、管壁と接するベースゴム３が取り付けられている。平行な２本の縦ジャッキ１ａは、上・中・下部の３本の連結管１ｃで直結されている。
【０００７】
４は本体ユニットで、その先端にスライド部５を有している。スライド部５は、その先端がエルボー管部の傾斜部Ａの内壁に突当てられた状態で、スライドロックピン６（図３参照）を挿入して固定される。
【０００８】
本体ユニット４の基部には、オートロックフック７（図４，図５）が設けられており、これを、サポートジャッキユニット１を構成する２本の縦ジャッキ１ａ，１ａ間の連結管１ｃに掛けると、自動的にロックされて、外れない構造となる。
【０００９】
図４，図５に示すように、オートロックフック７には、例えばサポートジャッキユニット１の連結管１ｃが入る環状凹部８が設けられている。この環状凹部８は、片側が開放されている。凹部８の上壁には、係止片９がピン１０で回動可能に取り付けられている。
【００１０】
係止片９は、例えばサポートジャッキ１の連結管１ｃが環状凹部８内に入ると、図４の状態にある係止片９を押し上げ、図５に示すように係止片９の反対側の凸部１１が逆に張り出し、前記連結管１ｃを抱え込む構造となっている。
【００１１】
１２は鉤片で、ピン１３で回動可能に取り付けられており、係止片９が上記のように押し上げられると、鉤片１２の先端鉤状部１４を押し上げる。すると、鉤片１２の他端１５が、係止片９の背部に設けたＬ状段部１６に当って、係止片９の回動を妨げるので、環状凹部８に入った連結管１ｃは、この凹部８の開放部から外に脱出しないよう保持される。
【００１２】
１７はサポートバーで、その一端が、後述するコラム１８の下端にピン結合されている。他端は、サポートジャッキ１の下部に設けた連結管１ｃに、前記オートロックフック７で着脱可能である。
【００１３】
コラム１８は、エルボー管の傾斜部Ａに直立される。コラム１８の頂部には、コラム１８の側部にこれと平行に格納された状態から９０°上方に回動して十字型に開く４本のアーム１９を有している。アーム１９は当初、コラム１８と平行にたたまれているが、使用時には、図１のごとく、スジカイ２０で水平に支持される。スジカイ２０の端部にもオートロックフックが設けられ、これによりワンタッチで取付けができる。
アーム１９は計４本あるが、そのうち奥側（図１の左側）及びこれと直交する両側の計３本は、先端にジャッキ２１を有し、これを壁面に押しつけてコラム１８を垂直に支持する。
【００１４】
２２はコラム１８に設けた開き止め金具で、これを外すことにより、アーム１９を上方に持ち上げることができる。２３はコラム１８の倒れ止めで、コラム１８にピン結合されており、本体ユニット４とはオートロックフック７で着脱される。
【００１５】
図１及び図２に示すように、アーム１９と本体ユニット４との間に、上はしご２４がオートロックフックにより取付けられる。そして、上記倒れ止め２３と上はしご２４の下端部は、前記オートロックフック７によりワンタッチで取付け可能である。２５は上足場板、２６は下足場板である。２７は側方に伸縮可能なジャッキバーであり、その両端にジャッキを有し、本体ユニット４上に取付けられている。
【００１６】
（作業足場の組み立て順序）
図６〜図８を参照して、作業足場の組立て方を説明する。
（１）図６上段に示すように、折り畳まれた状態の本体ユニット４を、エルボ管の傾斜部Ａの近くまで移動させ、サポートジャッキユニット１を設置する。その際、エルボー管の下部屈折部から間隔Ｌ離れた位置にベースゴム３を合わせて設置する。
（２）図６下段に示すように、本体ユニット４のスライドロックピン６（図３）を外し、スライド部５を側方に延ばした後、スライドロックピン６を挿入して、その延長位置に固定する。
（３）図７上段に示すように、本体ユニット４のオートロックフック部を持ち、エルボー管の傾斜部Ａに押し上げ、オートロックフック７をサポートジャッキユニット１に掛ける。
（４）本体ユニット４が水平になっているか確認する。水平になっていないときは、サポートジャッキユニット１を前後に移動させて調節する。
（５）図７下段に示すように、サポートバー１７をサポートジャッキユニット１の下部連結管１ｃに取付ける。
（６）前記ジャッキ付きアーム１９のうち奥側のアーム１９を垂直に立ち上げ、スジカイ２０を取り付ける。
（７）図８上段に示すように、コラム１８の開き止め金具２２を外してコラム１８を立てる。
（８）倒れ止め２３を本体ユニット４上に掛ける。
（９）図８下段に示すように、本体ユニット４上にこれと直交してジャッキバー２７を取付け、その端部のジャッキを配管側部に向って締め付ける。
（１０）下足場板２６（２枚）を、ジャッキバー２７と横ジャッキ１ｂとの間に取付ける。次に、下はしご２８を取り付ける。
（１１）残りのアーム１９を開いて、スジカイ２０を取り付ける。
（１２）上はしご２４及び下足場板２６（３枚）を取り付ける。
（１３）アーム１９に付いているジャッキを配管に締め付ける。
以上で足場が完成する。
【００１７】
【発明の効果】
本発明の作業足場は、使用されないときには、足場を構成する部材を折りたたんでコンパクト化した状態にされており、使用時には、この状態でエルボー管部に移して各部材を展開し、オートロックフックによりワンタッチで組立て可能にしたので、組立て時間が大幅に短縮される。具体的には、従来約３０分も要していた組立てが約５分〜１０分で可能となり、熟練者の必要もなくなる。
【図面の簡単な説明】
【図１】（ａ）は作業足場を組立てた状態の側面図である。（ｂ）は（ａ）の右側面図。
【図２】図１（ａ）の平面図である。
【図３】スライドロックピンの詳細図。
【図４】（ａ）はオートロックフックのロック前の斜視図、（ｂ）は（ａ）のＡ矢視図。
【図５】（ａ）はオートロックフックのロック後の斜視図、（ｂ）は（ａ）のＡ矢視図。
【図６】作業足場の組立て順序説明図。
【図７】作業足場の組立て順序説明図。
【図８】作業足場の組立て順序説明図。
【符号の説明】
Ａ  エルボ管部
１  サポートジャッキユニット    1a  縦ジャッキ
1b  横ジャッキ                  ２  下はしご
３  ベースゴム                  ４  本体ユニット
５  スライド部                  ６  スライドロックピン
７  オートロックフック          ８  環状凹部
９  係止片                      10  ピン
11  凸部                        12  鉤片
13  ピン                        14  先端鉤状部
15  （鉤片の）他端              16  段部
17  サポートバー                18  コラム
19  アーム                      20  スジカイ
21  ジャッキ                    22  開き止め金具
23  倒れ止め                    24  上はしご
25  足場板上                    26  足場板下
27  ジャッキバー                28  下はしご
【図１】
0004627597.tif 000002
【図２】
0004627597.tif 000003
【図３】
0004627597.tif 000004
【図４】
0004627597.tif 000005
【図５】
0004627597.tif 000006
【図６】
0004627597.tif 000007
【図７】
0004627597.tif 000008
【図８】
0004627597.tif 000009